(57)【特許請求の範囲】
【請求項１】
撮影レンズによって結像している面と予定結像面との光軸方向へのずれ量をデフォーカス量として検出し、このデフォーカス量を零とするように前記撮影レンズを光軸方向へ移動させる自動焦点調節装置において、
検出される前記デフォーカス量に基づいて前記撮影レンズの駆動方向および駆動量を演算する駆動方向・駆動量演算手段と、
この駆動方向・駆動量演算手段により演算された駆動方向および駆動量に応じて前記撮影レンズを光軸方向へ移動させるアクチュエータと、
必要に応じて書き込み・消去可能な非揮発性メモリに設けられたオプションビットの状態に基づき、このオプションビットが所定の状態にある場合、前記駆動方向・駆動量演算手段により演算された駆動方向を反転させる駆動方向反転手段と
を備えたことを特徴とする自動焦点調節装置。
【請求項２】
請求項１において、必要に応じて書き込み・消去可能な非揮発性メモリは、ＥＥＰＲＯＭであることを特徴とする自動焦点調節装置。
【請求項３】
撮影レンズによって結像している面と予定結像面との光軸方向へのずれ量をデフォーカス量として検出し、このデフォーカス量を零とするように前記撮影レンズを光軸方向へ移動させる自動焦点調節装置において、
検出される前記デフォーカス量に基づいて前記撮影レンズの駆動方向および駆動量を演算する駆動方向・駆動量演算手段と、
この駆動方向・駆動量演算手段により演算された駆動方向および駆動量に応じて前記撮影レンズを光軸方向へ移動させるアクチュエータと、
外部からの指示モードに応じて前記駆動方向・駆動量演算手段により演算された駆動方向を反転する駆動方向反転手段と
を備えたことを特徴とする自動焦点調節装置。
【発明の詳細な説明】
【０００１】
【発明の属する技術分野】
この発明は、撮影レンズによって結像している面と予定結像面との光軸方向へのずれ量をデフォーカス量として検出し、このデフォーカス量を零とするように撮影レンズを光軸方向へ移動させる自動焦点調節装置に関するものである。
【０００２】
【従来の技術】
従来より、カメラの撮影装置においては、自動焦点調節装置が用いられている。すなわち、自動焦点調整装置を用いることによって、撮影レンズによって結像している面と予定結像面（フィルム面）との光軸方向へのずれ量をデフォーカス量として検出し、このデフォーカス量を零とするように撮影レンズを光軸方向へ移動させて、自動的に合焦状態とする。
【０００３】
この自動焦点調整装置では、撮影レンズを透過した被写体の像をＣＣＤセンサ等の光電変換手段により電気信号（光像信号）に変換し、マイクロコンピュータへ与える。マイクロコンピュータは、光電変換手段からの光像信号をＡ／Ｄ変換し、これによってデジタル信号に変換された光像パターンを所定のアルゴリズムで処理してデフォーカス量を検出し、このデフォーカス量に基づいて撮影レンズの駆動方向および駆動量を演算する。そして、この演算した撮影レンズの駆動方向および駆動量に応じた制御信号を生成し、この制御信号をモータ駆動回路部を介してモータへ与え、このモータの回転方向および回転量を制御して、デフォーカス量を零とするように撮影レンズを光軸方向へ移動させる。
【０００４】
マイクロコンピュータとモータとはモータ駆動回路部を介して電気的に接続されている。すなわち、マイクロコンピュータは上記制御信号を出力する第１および第２の出力ポートを有し、この第１および第２の出力ポートとモータ駆動回路部の第１および第２の入力ポートとが電気的に接続されており、モータ駆動回路部の第１および第２の出力ポートとモータ内より引き出されている第１および第２のリード線とが接続されている。この場合、モータ内より引き出されている２本のリード線は色分けされており、モータ駆動回路部の第１および第２の出力ポート用として設けられたランド部に、そのリード線の色に応じて半田付けされる。例えば、赤色のリード線は第１の出力ポートに、青色のリード線は第２の出力ポートにというように、そのリード線の色を目安として接続される。
【０００５】
【発明が解決しようとする課題】
しかしながら、このような従来の自動焦点調整装置によると、製造過程において、例えば、モータ内より引き出されている２本のリード線の色が入れ違っていた場合、このリード線の色を目安としてモータ駆動回路部にモータを接続すると、マイクロコンピュータの指示とは逆の方向へモータが回転してしまう。すなわち、マイクロコンピュータは、その第１および第２の出力ポートからの制御信号により、モータ駆動回路部を介してモータの正転、逆転、ブレーキ、停止動作を行う。ここで、マイクロコンピュータの指示とは逆の方向へモータが回転すると、完成されたカメラボディでは、焦点距離が被写体に対して近い距離に合っていた状態でレンズ駆動を行うと、本来なら焦点距離が遠くなるようにレンズ駆動が行われなければならないにも拘わらず、焦点距離がさらに近くなるようなレンズ駆動が行われてしまう。
【０００６】
このような場合、従来においては、マイクロコンピュータのソフトウェアで出力ポートの状態を変更したり、モータのリード線ランドを逆につなぎ直すという方策をとっている。しかし、前者の方法では、マイクロコンピュータのソフトウェアを変更する必要があり、リード線の誤接続のためだけに修正するのは無駄な時間を費やすことになり、納期的な問題が生じる。また、後者の方法では、完成されたカメラボディを分解して基板上のリード線ランドをつなぎ直さなければならず、過大な労力を必要とし、またその他の組立作業ミスを引き起こす要因ともなる。
【０００７】
本発明はこのような課題を解決するためになされたもので、その目的とするところは、マイクロコンピュータのソフトウェアの変更やモータのリード線ランドを逆につなぎ直すという方策をとることなく、製造過程におけるリード線の誤接続に対し、完成状態において簡単かつ短時間に対処することの可能な自動焦点調節装置を提供することにある。
【０００８】
【課題を解決するための手段】
このような目的を達成するために、第１発明（請求項１に係る発明）は、必要に応じて書き込み・消去可能な非揮発性メモリにオプションビットを設け、この非揮発性メモリのオプションビットの状態に基づき、このオプションビットが所定の状態にある場合、演算された撮影レンズの駆動方向を反転させるようにしたものである。この発明によれば、非揮発性メモリのオプションビットが例えば「０」である場合には、演算された駆動方向および駆動量に応じてアクチュエータが駆動され、撮影レンズが移動する。これに対して、非揮発性メモリのオプションビットを例えば「１」とすると、演算された駆動方向が反転され、この反転された駆動方向および駆動量に応じてアクチュエータが駆動され、撮影レンズが移動する。
【０００９】
第２発明（請求項２に係る発明）は、第１発明において、必要に応じて書き込み・消去可能な非揮発性メモリを、ＥＥＰＲＯＭとしたものである。この発明によれば、ＥＥＰＲＯＭのオプションビットを例えば「１」とすると、演算された駆動方向が反転され、この反転された駆動方向および駆動量に応じてアクチュエータが駆動され、撮影レンズが移動する。
【００１０】
第３発明（請求項３に係る発明）は、外部からの指示モードに応じて、演算された撮影レンズの駆動方向を反転させるようにしたものである。この発明によれば、外部からの指示モードが例えば「０」である場合には、演算された駆動方向および駆動量に応じてアクチュエータが駆動され、撮影レンズが移動する。これに対して、外部からの指示モードを例えば「１」とすると、演算された駆動方向が反転され、この反転された駆動方向および駆動量に応じてアクチュエータが駆動され、撮影レンズが移動する。なお、この発明において、外部からの指示モードとは、外部スイッチのオン・オフモード等が考えられる。
【００１１】
【発明の実施の形態】
以下、本発明を実施の形態に基づき詳細に説明する。図１はこの発明の一実施の形態を示す自動焦点調節装置の要部構成を示すブロック図である。同図において、１はマイクロコンピュータ、２はモータ駆動回路部、３はモータ、４は撮影レンズ、５はＣＣＤセンサ、６はマイクロコンピュータ１に付設されたＥＥＰＲＯＭである。ＥＥＰＲＯＭ６には、特有なビットとして、オプションビットが設けられている。通常、このオプションビットは、「０」とされている。
【００１２】
図２はマイクロコンピュータ１が行う処理動作の要部を示すフローチャートである。以下、このフローチャートに基づき、各部の機能を交えながら、この自動焦点調節装置の動作について説明する。
【００１３】
撮影レンズ４を透過した被写体からの光束はＣＣＤセンサ５に結像する。ＣＣＤセンサ５からの光像信号はマイクロコンピュータ１へ送られる。マイクロコンピュータ１は、ＣＣＤセンサ５からの光像信号をＡ／Ｄ変換し、これによってデジタル信号に変換された光像パターンを所定のアルゴリズムで処理してデフォーカス量を検出する（図２に示すステップ２０１）。
【００１４】
次に、マイクロコンピュータ１は、この検出したデフォーカス量が零であるか否かをチェックし（ステップ２０２）、デフォーカス量＝０であれば、モータ３に対してブレーキをかける（ステップ２０３）。
【００１５】
デフォーカス量＝０でなければ、マイクロコンピュータ１は、そのデフォーカス量の±をチェックする（ステップ２０４）。デフォーカス量がマイナス側、すなわち焦点距離が被写体より遠い場合は、ステップ２０５へ進んでＥＥＰＲＯＭ６のオプションビットが「１」か否かをチェックする。デフォーカス量がプラス側、すなわち焦点距離が被写体より近い場合は、ステップ２０６へ進んでＥＥＰＲＯＭ６のオプションビットが「１」か否かをチェックする。
【００１６】
ここで、通常、ＥＥＰＲＯＭ６のオプションビットは「０」とされているので、焦点距離が被写体より遠い場合には、ステップ２０５でのＮＯに応じてステップ２０７へ進み、焦点距離が被写体より近い場合には、ステップ２０６でのＮＯに応じてステップ２０８へ進む。ステップ２０７では、その出力ポートＰ１を「Ｌ」、Ｐ２を「Ｈ」とし、ステップ２０８では、その出力ポートＰ１を「Ｈ」、Ｐ２を「Ｌ」とする。この出力ポートＰ１，Ｐ２の「Ｌ」，「Ｈ」レベルが制御信号としてモータ駆動回路部２を介してモータ３へ与えられる。
【００１７】
この制御信号により、正常配線が施されている場合には、モータ３がマイクロコンピュータ１の指示する方向へ指示する量だけ回転し、撮影レンズ４が光軸方向へ移動して、デフォーカス量が零とされる。すなわち、マイクロコンピュータ１は、ステップ２０１で検出したデフォーカス量に基づいて撮影レンズ４の駆動方向および駆動量を演算し、ＥＥＰＲＯＭ６のオプションビットが「０」とされていることにより、その演算した駆動方向および駆動量に応じた制御信号を、そのまま出力ポートＰ１，Ｐ２よりモータ駆動回路部２を介してモータ３へ与える
【００１８】
ここで、製造過程において、例えば、モータ３内より引き出されている２本のリード線の色が入れ違っていた場合を考えてみる。この場合、このリード線の色を目安としてモータ駆動回路部２にモータ３が接続される。すると、完成されたカメラボディでは、マイクロコンピュータ１の指示とは逆の方向へモータ３が回転してしまうことになる。すなわち、焦点距離が被写体より遠い場合には、焦点距離がさらに遠くなるように、焦点距離が被写体より近い場合には、焦点距離がさらに近くなるように制御されてしまう。
【００１９】
このような場合、本実施の形態では、ＥＥＰＲＯＭ６のオプションビットを「１」とする。すると、マイクロコンピュータ１は、焦点距離が被写体より遠い場合には、ステップ２０５でのＹＥＳに応じてステップ２０８へ進み、焦点距離が被写体より近い場合には、ステップ２０６でのＹＥＳに応じてステップ２０７へ進む。ステップ２０７では、その出力ポートＰ１を「Ｌ」、Ｐ２を「Ｈ」とし、ステップ２０８では、その出力ポートＰ１を「Ｈ」、Ｐ２を「Ｌ」とする。この出力ポートＰ１，Ｐ２の「Ｌ」，「Ｈ」レベルが制御信号としてモータ駆動回路部２を介してモータ３へ与えられる。
【００２０】
この制御信号により、上述したリード線の誤接続にも拘わらず、モータ３がマイクロコンピュータ１の指示する方向へ指示する量だけ回転するようになり、撮影レンズ４が光軸方向へ移動して、デフォーカス量が零とされる。すなわち、マイクロコンピュータ１は、ステップ２０１で検出したデフォーカス量に基づいて撮影レンズ４の駆動方向および駆動量を演算し、ＥＥＰＲＯＭ６のオプションビットが「１」とされていることにより、その演算した駆動方向を反転し、この反転した駆動方向および駆動量に応じた制御信号を、出力ポートＰ１，Ｐ２よりモータ駆動回路部２を介してモータ３へ与える
【００２１】
以上説明したように、この実施の形態によれば、ＥＥＰＲＯＭ６のオプションビットを「１」とするのみで、製造過程におけるリード線の誤接続に対し、マイクロコンピュータ１のソフトウェアの変更やモータ３のリード線ランドを逆につなぎ直すという方策をとることなく、完成したカメラボディにおいて簡単かつ短時間に対処することができるようになり、納期的な問題や、組立工程上の不安要素を無くすことが可能となる。
【００２２】
なお、この実施の形態では、製造過程におけるリード線の誤接続として、モータ３内より引き出されている２本のリード線の色が入れ違っていた場合を例として説明したが、色が入れ違っていない正常な場合の誤接続についても、同様にして対処することができる。
【００２３】
また、この実施の形態では、必要に応じて書き込み・消去可能な非揮発性メモリとしてＥＥＰＲＯＭを用いたが、ＥＰＲＯＭ等を用いてもよい。また、必ずしも非揮発性メモリにオプションビットを設けなくてもよく、マイクロコンピュータ１に対して外部スイッチを付設し、この外部スイッチのオン・オフモードをオプションビットの代わりとして用いてもよい。
また、この実施の形態では、撮影レンズ４を移動させるためのアクチュエータとしてモータ３を用いたが、モータに限られるものでないことは言うまでもない。
【００２４】
【発明の効果】
以上説明したことから明らかなように本発明によれば、例えば、ＥＥＰＲＯＭのオプションビットを「１」とするのみで、製造過程におけるリード線の誤接続に対し、マイクロコンピュータのソフトウェアの変更やモータのリード線ランドを逆につなぎ直すという方策をとることなく、完成状態おいて簡単かつ短時間に対処することができるようになり、納期的な問題や、組立工程上の不安要素を無くすことが可能となる。
【図面の簡単な説明】
【図１】  本発明の一実施の形態を示す自動焦点調節装置の要部構成を示すブロック図である。
【図２】  この自動焦点調節装置においてマイクロコンピュータが行う処理動作の要部を示すフローチャートである。
【符号の説明】
１…マイクロコンピュータ、２…モータ駆動回路部、３…モータ、４…撮影レンズ、５…ＣＣＤセンサ、６…ＥＥＰＲＯＭ。
【図１】
0003740755.tif 000002
【図２】
0003740755.tif 000003